(57)【要約】【課題】積層しているカードから先頭のカードをピックアップするカードの供給において、カードピックアップ時に、カード集積部のカード同士の張り付き力を軽減させ、重送の不具合が無いカード供給装置を提供することを目的とする。【解決手段】カードプッシャーに押されたカードが密接するカード集積部と、カード排出口と、カード集積部の先頭のカードを順次、カード集積部におけるカード搬送方向に対してカード搬送方向を傾斜させて、前記カード排出口に案内するように形成された斜面を有する傾斜ガイド部と、カード集積部の先端のカードに接する搬送ローラーと、を備えたことを特徴とするカード送り出し機構。【選択図】図１
2019085225.tif 000002
【特許請求の範囲】
【請求項１】
カードを送り出す機構であって、
カードプッシャーに押されたカードが密接するカード集積部と、
カード排出口と、
カード集積部の先端部のカードを順次、カード集積部におけるカード搬送方向に対してカード搬送方向を傾斜させて、前記カード排出口に案内するように形成された斜面を有する傾斜ガイド部と、
前記傾斜ガイド部内に積層されたカードの先頭のカードに接する搬送ローラーと、
を備えたことを特徴とするカード送り出し機構。
【請求項２】
前記傾斜ガイド部が、振動することを特徴とする請求項１に記載のカード送り出し機構。
【発明の詳細な説明】
【技術分野】
【０００１】
本発明は、カードプリンタなどにおいてカードを供給する際の、カードの送り出し機構に関する。
【背景技術】
【０００２】
カードプリンタなどにおいては、印刷前の複数のカードが積層状態にして装填され、この部位の複数のカードの内、先頭に位置するカード１枚だけを次工程に送る送り出し機構が備えられているカード供給部がある（特許文献１参照）。
【先行技術文献】
【特許文献】
【０００３】
【特許文献１】特許第４４９５８１１号公報
【発明の概要】
【発明が解決しようとする課題】
【０００４】
図３に従来のカード送り出し機構３００の概略断面図を示す。カード集積部２においてカードプッシャー２０に押圧されたカード１が積層しており、先頭のカード１が搬送ローラー５によって、カード排出部から次工程に送り出される（特許文献１参照）。しかしながら、このようなカード送り出し機構においては、先頭に位置するカード１枚だけを送りだす時に、積層状態になったカードにおいてカードとカードの面同士が張り付いて、カードが送り出せないことがあった。また、先頭とその隣のカードが密着した状態で同時にピックされてしまう（重送）こともあった。
【０００５】
カードを積層した場合、カードの面同士が静電気や鏡面密着により張り付くことが原因として考えられる。カードピックアップするときに、積層されているカード同士の押圧力を下げることができれば、張り付きを軽減することができる。
【０００６】
本発明では、積層しているカードから先頭のカードをピックアップするカードの供給において、カードピックアップ時に、カード集積部のカード同士の張り付き力を軽減させ、重送の不具合が無いカード送り出し機構を提供することを目的とする。
【課題を解決するための手段】
【０００７】
本発明は上記課題を解決するためになされたもので、本発明の請求項１に係る発明は、カードを送り出す機構であって、カードプッシャーに押されたカードが密接するカード集積部と、カード排出口と、カード集積部の先端部のカードを順次、カード集積部におけるカード搬送方向に対してカード搬送方向を傾斜させて、前記カード排出口に案内するように形成された斜面を有する傾斜ガイド部と、前記傾斜ガイド部内に積層されたカードの先頭のカードに接する搬送ローラーと、を備えたことを特徴とするカード送り出し機構である。
【０００８】
本発明の請求項２に係る発明は、前記傾斜ガイド部が、振動することを特徴とする請求項１に記載のカード送り出し機構である。
【発明の効果】
【０００９】
積層しているカードから先頭のカードを送り出すカードの供給において、カードを送り出す時に、カード集積部のカード同士の張り付き力を軽減させ、重送の不具合が無いカード送り出し機構を提供できる。
【図面の簡単な説明】
【００１０】
【図１】は本発明に係るカード送り出し機構の実施形態を示す概略側面図である。
【図２】は本発明に係るカード送り出し機構の実施形態を示す概略側面図である。
【図３】は従来のカード送り出し機構の概略側面図である。
【発明を実施するための形態】
【００１１】
以下、本発明のカード送り出し機構について添付図面を参照して説明する。
【００１２】
図１は本発明に係るカード送り出し機構１００の実施形態を示す概略側面図である。
【００１３】
カード送り出し機構１００は、カードプッシャー２０に押されたカード１が密接するカード集積部２と、カード排出口６と、カード集積部の先端部のカードを順次、カード集積部におけるカード搬送方向に対してカード搬送方向を傾斜させて、前記カード排出口に案内するように形成された斜面を有する傾斜ガイド上部３と傾斜ガイド下部４からなる傾斜ガイド部１０と、傾斜ガイド部１０内の傾斜ガイド上部３と傾斜ガイド下部４に挟まれ積層されたカードの先頭のカード１に接する搬送ローラー５から構成される。
【００１４】
カードプッシャー２０は、ばねなどの付勢力で、カード集積部２のカード１を密接させながら、傾斜ガイド部１０内の傾斜ガイド上部３と傾斜ガイド下部４の間の入口に向かって押圧している。
【００１５】
傾斜ガイド部１０内の傾斜ガイド上部３と傾斜ガイド下部４の間の入口からカード排出口６上まで、カード１は、傾斜ガイド部１０内の傾斜ガイド上部３と傾斜ガイド下部４に挟まれながら、カード集積部のカードの進行方向に対して傾斜した進行方向で、カード１は搬送される。
【００１６】
カード集積部のカードの進行方向と、傾斜ガイド部１０内の傾斜ガイド上部３と傾斜ガイド下部４に挟まれながら搬送される方向との間の角度はθである。
【００１７】
傾斜ガイド部１０内の傾斜ガイド上部３と傾斜ガイド下部４に挟まれながら搬送されるカード１の先頭のカードには搬送ローラー５が接触しており、回転することによって、カード１を移動させ、カード排出口６を通って、カード１を排出する。
【００１８】
傾斜ガイド部１０内のカード１同士の接触面積は、カード集積部２内のカード１の接触面積よりも少なく、何枚かのカードを経ることにより、カードプッシャー２０の押圧力が低減され、先頭のカードの搬送抵抗を低減することができるので、カード１の排出口６を通した排出がしやすくなる。
【００１９】
本発明に係るカード送り出し機構における傾斜ガイド部の傾斜ガイド上部もしくは傾斜ガイド下部は、カード搬送時に振動してもよい。
【００２０】
図２は本発明に係るカード送り出し機構２００の実施形態を示す概略側面図である。
【００２１】
カード送り出し機構２００は、カードプッシャー２０に押されたカード１が密接するカード集積部２と、カード排出口６と、カード集積部の先端部のカードを順次、カード集積部におけるカード搬送方向に対してカード搬送方向を傾斜させて、前記カード排出口に案内するように形成された斜面を有する傾斜ガイド上部３３，傾斜ガイド下部３４からなる傾斜ガイド部４０と、傾斜ガイド部４０内の傾斜ガイド上部３３，傾斜ガイド下部３４に積層されたカードの先頭のカード１に接する搬送ローラー５から構成される。
【００２２】
カードプッシャー２０は、ばねなどの付勢力で、カード集積部２のカード１を密接させながら、傾斜ガイド部４０内の傾斜ガイド上部３３と傾斜ガイド下部３４の間の入口に向かって押圧している。
【００２３】
傾斜ガイド部４０内の傾斜ガイド上部３３と傾斜ガイド下部３４の間の入口からカード排出口６上まで、カード１は、傾斜ガイド部４０内の傾斜ガイド上部３３と傾斜ガイド下部３４に挟まれながら、カード集積部のカードの進行方向に対して傾斜した進行方向で、カード１は搬送される。
【００２４】
傾斜ガイド上部３３は振動機構付きであり、カード１を搬送する際に、振動する。
【００２５】
カード集積部のカードの進行方向と、傾斜ガイド部４０内の傾斜ガイド上部３３と傾斜ガイド下部３４に挟まれながら搬送される方向との間の角度はθである。
【００２６】
傾斜ガイド部４０内の傾斜ガイド上部３と傾斜ガイド下部４に挟まれながら搬送されるカード１の先頭のカードには搬送ローラー５が接触しており、回転することによって、カード１を移動させ、カード排出口６を通って、カード１を排出する。
【００２７】
傾斜ガイド部４０内のカード１同士の接触面積は、カード集積部２内のカード１の接触面積よりも少なく、何枚かのカードを経ることにより、カードプッシャー２０の押圧力が低減され、先頭のカードの搬送抵抗を低減することができるので、カード１の排出口６を通した排出がしやすくなる。
【００２８】
また傾斜ガイド上部３３は、カード１を搬送する際に振動するので、カード１間の張り付きが強い場合でも、振動する傾斜ガイド上部３３が、カード間の密着性を弱める作用が働き、傾斜ガイド部１０の傾斜に沿ったカード搬送が可能となる。
【００２９】
積層しているカードから先頭のカードをピックアップするカードの送り出しにおいて、カードピックアップ時に、カード集積部のカード同士の張り付き力を軽減させ、重送の不具合が無いカード送り出し機構を提供できる。
【符号の説明】
【００３０】
１・・・カード
２・・・カード集積部
３・・・傾斜ガイド上部
４・・・傾斜ガイド下部
５・・・搬送ローラー
６・・・カード排出口
１０・・・傾斜ガイド部
２０・・・カードプッシャー
３３・・・傾斜ガイド上部
３４・・・傾斜ガイド下部
４０・・・傾斜ガイド部
１００・・・カード送り出し機構
２００・・・カード送り出し機構
３００・・・カード送り出し機構
【図１】
2019085225.tif 000003
【図２】
2019085225.tif 000004
【図３】
2019085225.tif 000005